(57)【要約】【課題】径方向への大型化を防止しつつ、いわゆる逆トルクに対して十分な強度を確保し得るトルクリミッタを提供する。【解決手段】外輪体には、コイルスプリングのフック部が係入されるスリットであって、開放側及びロック側への回転トルクが作用した際にフック部とそれぞれ当接する開放側当接面及びロック側当接面を有するスリットと、前記ロック側当接面から径方向内方へ延び、ロック側への回転トルクが作用した際に前記ロック側当接面と共にフック部と当接するロック側延在面を有するロック側凸部が設けられている。【選択図】図１
2008274979.tif 000002
【特許請求の範囲】
【請求項１】
内輪体と、前記内輪体に巻き付けられたコイルバネと、前記コイルバネが巻き付けられた状態の内輪体が内挿される中空の外輪体とを備え、前記コイルバネは、前記内輪体の外周面に巻き付けられたコイル部と、前記コイル部の巻き終わり端部から前記内輪体の軸線を基準にして径方向外方へ延びるフック部とを有し、前記外輪体の周壁には前記フック部が係入されるスリットが設けられ、前記内輪体を軸線回りに固定した状態で、前記外輪体に前記コイルバネの締め付け力を緩める軸線回り一方側の開放側へ該締め付け力を越える回転トルクが加わると、前記外輪体が軸線回り一方側へ回転するように構成されたトルクリミッタであって、
前記スリットは、前記外輪体に開放側への回転トルクが作用した際に前記フック部と当接する開放側当接面と、前記外輪体に開放側とは反対の軸線回り他方側のロック側への回転トルクが作用した際に前記フック部と当接するロック側当接面とを有し、
前記外輪体には、前記ロック側当接面から径方向内方へ延び、該外輪体にロック側への回転トルクが作用した際に前記ロック側当接面と共に前記フック部と当接するロック側延在面を有するロック側凸部が設けられていることを特徴とするトルクリミッタ。
【請求項２】
前記ロック側凸部の内周面は、前記ロック側延在面が位置する側から軸線回り一方側へ行くに従って径方向外方に位置するようなテーパ状とされていることを特徴とする請求項１に記載のトルクリミッタ。
【請求項３】
前記外輪体の周壁は、前記ロック側凸部が形成され且つ少なくとも前記コイル部の巻き終わり端部を囲繞する軸線方向第１領域と、前記軸線方向第１領域から軸線方向一方側へ延び且つ少なくとも前記コイル部の巻き始め端部を囲繞する軸線方向第２領域と、前記軸線方向第２領域から軸線方向一方側へ延びる軸線方向第３領域とを有し、
前記軸線方向第３領域は、前記内輪体の外径より大径で且つ前記コイル部の外径より小径とされた第３内径を有し、
前記軸線方向第２領域は、前記コイル部の外径より大径とされた第２内径を有し、
前記軸線方向第１領域は、前記ロック側凸部が形成された領域を除き、前記第２内径よりも大径とされた第１内径を有していることを特徴とする請求項１又は２に記載のトルクリミッタ。
【請求項４】
前記コイルバネは、前記巻き始め端部及び前記巻き終わり端部の前記内輪体の軸線を基準にした周方向位置が互いに対して異なるように、前記内輪体に巻き付けられ、
前記軸線方向第２領域は、前記巻き終わり端部の周方向位置に対応した周方向位置を含む周方向第１領域において前記第２内径を有し、且つ、前記巻き始め端部の周方向位置に対応した周方向位置を含む周方向第２領域において前記第２内径よりも大径とされた内径を有していることを特徴とする請求項３に記載のトルクリミッタ。
【請求項５】
前記周方向第２領域は前記第１内径を有していることを特徴とする請求項４に記載のトルクリミッタ。
【請求項６】
前記外輪体には、前記開放側当接面から径方向内方へ延び、該外輪体に開放側への回転トルクが作用した際に前記開放側当接面と共に前記フック部と当接する開放側延在面を有する開放側凸部が設けられていることを特徴とする請求項１から５の何れかに記載のトルクリミッタ。
【発明の詳細な説明】
【技術分野】
【０００１】
本発明は、シート材供給装置における分離ローラ等に適用されるトルクリミッタに関する。
【背景技術】
【０００２】
所定の閾値以下の外力が加わっても回転せず且つ前記閾値を越える外力が加わった場合にのみ回転するトルクリミッタは、シート材を１枚ずつ供給するシート材供給装置の分離ローラ等として広く利用されている。
【０００３】
詳しくは、前記トルクリミッタは、内輪体と、前記内輪体に巻き付けられたコイルバネと、前記コイルバネが巻き付けられた状態の内輪体が内挿される中空の外輪体とを備えている。前記コイルバネは、前記内輪体の外周面に巻き付けられたコイル部と、前記コイル部の巻き終わり端部から前記内輪体の軸線を基準にして径方向外方へ延びるフック部とを有している。前記外輪体の周壁には前記フック部が係入されるスリットが設けられている。
【０００４】
前記トルクリミッタは、前記内輪体が軸線回りに固定された状態で前記外輪体に前記コイルバネの締め付け力を緩める軸線回り一方側の開放側へ該締め付け力を越える回転トルクが加わると、前記外輪体及び前記コイルスプリングが前記内輪体に対して軸線回り一方側へ回転し、且つ、前記開放側への回転トルクが前記締め付け力以下の場合には回転しないようになっている。
【０００５】
前記トルクリミッタが分離ローラとして用いられたシート材供給装置は以下のように作用する。
前記シート材供給装置は、軸線回りに回転駆動される供給ローラと、前記供給ローラの回転軸と平行な軸線を有し且つ前記供給ローラへ向けて押圧された分離ローラ（トルクリミッタ）とを備えている。
【０００６】
前記シート材供給装置に対して積層された複数枚のシート材が供給されると、前記供給ローラ又は該供給ローラによって従動回転される前記分離ローラが複数枚のシート材のうち最上位に位置するシート材を前記供給ローラ及び前記分離ローラの接点位置まで案内する。前記供給ローラ及び前記シート材の間の摩擦力が前記分離ローラ及び前記シート材の間の摩擦力よりも大きくなるように設定されており、従って、前記供給ローラは、前記分離ローラを従動回転させつつ、前記シート材を搬送する。
【０００７】
一方、前記供給ローラ及び前記分離ローラの間に２枚のシート材が同時に入ると、前記供給ローラ及び前記シート材の間の摩擦力並びに前記分離ローラ及び前記シート材の間の摩擦力は何れも２枚のシート材間の摩擦力よりも大きくなるように設定されている為、前記２枚のシート材の間で滑りが生じる。従って、前記２枚のシート材のうち前記供給ローラに接する側のシート材だけが前記供給ローラによって搬送され、前記分離ローラは従動回転されず、該分離ローラに接する側のシート材はそのままの位置に保持される。
【０００８】
ところで、前記シート材搬送装置にシート材が詰まった場合等においては、該シート材をシート搬送方向とは逆向きに引っ張り出す必要があり、この際に、前記分離ローラとして作用する前記トルクリミッタには、いわゆる逆トルクが掛かる。
従って、前記外輪体には逆トルクに抗し得る強度が必要とされるが、この点に関し、従来のトルクリミッタは十分な考慮がなされていなかった。
【０００９】
即ち、従来のトルクリミッタにおいては、前述の通り、前記コイルスプリングのフック部は前記外輪体の周壁に形成された前記スリットに係入されているだけである。
例えば、前記外輪体の周壁の肉厚を厚くすれば、前記スリットの強度を向上させることが可能であるが、この場合、外輪体が径方向に大型化してしまう。
【特許文献１】特開２００４−９１１０９号公報
【発明の開示】
【発明が解決しようとする課題】
【００１０】
本発明は、前記従来技術に鑑みなされたものであり、径方向への大型化を防止しつつ、いわゆる逆トルクに対して十分な強度を確保し得るトルクリミッタの提供を目的とする。
【課題を解決するための手段】
【００１１】
本発明は、前記目的を達成する為に、内輪体と、前記内輪体に巻き付けられたコイルバネと、前記コイルバネが巻き付けられた状態の内輪体が内挿される中空の外輪体とを備え、前記コイルバネは、前記内輪体の外周面に巻き付けられたコイル部と、前記コイル部の巻き終わり端部から前記内輪体の軸線を基準にして径方向外方へ延びるフック部とを有し、前記外輪体の周壁には前記フック部が係入されるスリットが設けられ、前記内輪体を軸線回りに固定した状態で前記外輪体に前記コイルバネの締め付け力を緩める軸線回り一方側の開放側へ該締め付け力を越える回転トルクが加わると、前記外輪体が軸線回り一方側へ回転するように構成されたトルクリミッタであって、前記スリットは、前記外輪体に開放側への回転トルクが作用した際に前記フック部と当接する開放側当接面と、前記外輪体に開放側とは反対の軸線回り他方側のロック側への回転トルクが作用した際に前記フック部と当接するロック側当接面とを有し、前記外輪体には、前記ロック側当接面から径方向内方へ延び、該外輪体にロック側への回転トルクが作用した際に前記ロック側当接面と共に前記フック部と当接するロック側延在面を有するロック側凸部が設けられているトルクリミッタを提供する。
好ましくは、前記ロック側凸部の内周面は、前記ロック側延在面が位置する側から軸線回り一方側へ行くに従って径方向外方に位置するようなテーパ状とされる。
【００１２】
好ましくは、前記外輪体の周壁は、前記ロック側凸部が形成され且つ少なくとも前記コイル部の巻き終わり端部を囲繞する軸線方向第１領域と、前記軸線方向第１領域から軸線方向一方側へ延び且つ少なくとも前記コイル部の巻き始め端部を囲繞する軸線方向第２領域と、前記軸線方向第２領域から軸線方向一方側へ延びる軸線方向第３領域とを有し得る。
前記軸線方向第３領域は、前記内輪体の外径より大径で且つ前記コイル部の外径より小径とされた第３内径を有するものとされ、前記軸線方向第２領域は、前記コイル部の外径より大径とされた第２内径を有するものとされ、前記軸線方向第１領域は、前記ロック側凸部が形成された領域を除き、前記第２内径よりも大径とされた第１内径を有するものとされる。
【００１３】
より好ましくは、前記コイルバネは、前記巻き始め端部及び前記巻き終わり端部の前記内輪体の軸線を基準にした周方向位置が互いに対して異なるように、前記内輪体に巻き付けられる。
斯かる構成において、前記軸線方向第２領域は、前記巻き終わり端部の周方向位置に対応した周方向位置を含む周方向第１領域において前記第２内径を有し、且つ、前記巻き始め端部の周方向位置に対応した周方向位置を含む周方向第２領域において前記第２内径よりも大径とされた内径を有するように構成される。
より好ましくは、前記周方向第２領域は前記第１内径を有するように構成される。
【００１４】
前記種々の態様において、好ましくは、前記外輪体には、前記開放側当接面から径方向内方へ延び、該外輪体に開放側への回転トルクが作用した際に前記開放側当接面と共に前記フック部と当接する開放側延在面を有する開放側凸部が設けられる。
好ましくは、前記開放側凸部は、前記開放側延在面の径方向内端部が前記コイル部の外周面に可及的に近接するように構成される。
【発明の効果】
【００１５】
本発明によれば、外輪体に、内輪体に巻き付けられたコイルスプリングのフック部が係入されるスリットのロック側当接面から径方向内方へ延び、該外輪体にロック側への回転トルクが作用した際に前記ロック側当接面と共に前記フック部と当接するロック側延在面を有するロック側凸部を設けたので、前記外輪体を径方向外方へ大型化させることなく、前記外輪体にロック側への回転トルクが作用した際に該外輪体と前記フック部とが当接する領域を拡大することができ、いわゆる逆トルクに対して十分な強度を確保することができる。
【００１６】
前記ロック側凸部の内周面を前記ロック側延在面が位置する側から軸線回り一方側へ行くに従って径方向外方に位置するようなテーパ状とすれば、前記外輪体に開放側への回転トルクが作用して前記コイルスプリングが開放動作される際に、該コイルスプリングが前記ロック側凸部に干渉することを有効に防止できる。
【００１７】
前記外輪体の周壁が、前記ロック側凸部が形成され且つ少なくとも前記コイル部の巻き終わり端部を囲繞する軸線方向第１領域と、前記軸線方向第１領域から軸線方向一方側へ延び且つ少なくとも前記コイル部の巻き始め端部を囲繞する軸線方向第２領域と、前記軸線方向第２領域から軸線方向一方側へ延びる軸線方向第３領域とを有するように構成し、前記軸線方向第３領域が前記内輪体の外径より大径で且つ前記コイル部の外径より小径とされた第３内径を有し、前記軸線方向第２領域が前記コイル部の外径より大径とされた第２内径を有し、且つ、前記軸線方向第１領域が、前記ロック側凸部が形成された領域を除き、前記第２内径よりも大径とされた第１内径を有するように構成すれば、前記外輪体を径方向に大型化させることなく、該外輪体の周壁の肉厚を可及的に厚くすることができ、これにより、該外輪体の強度を向上させることができる。
【００１８】
前記巻き始め端部及び前記巻き終わり端部の前記内輪体の軸線を基準にした周方向位置が互いに対して異なるように前記コイルバネを前記内輪体に巻き付け、前記軸線方向第２領域が、前記巻き終わり端部の周方向位置に対応した周方向位置を含む周方向第１領域においては前記第２内径を有し、且つ、前記巻き始め端部の周方向位置に対応した周方向位置を含む周方向第２領域においては前記第２内径よりも大径とされた内径を有するように構成すれば、前記外輪体の周壁の肉厚を可及的に厚くしつつ、前記コイルバネの巻き始め端部に生じ得るバリ等が前記外輪体の周壁に干渉することを有効に防止できる。
【００１９】
前記周方向第２領域が前記第１内径を有するように構成すれば、前記外輪体を金型成型する際において、金型の形状を簡略化することができる。
【００２０】
前記外輪体に、前記開放側当接面から径方向内方へ延び、該外輪体に開放側への回転トルクが作用した際に前記開放側当接面と共に前記フック部と当接する開放側延在面を有する開放側凸部を設ければ、前記外輪体に開放側への回転トルクが作用した際に該外輪体及び前記フック部が係合する領域を長大化させることができ、前記コイルスプリングを無理なく拡径動作させることができる。
【発明を実施するための最良の形態】
【００２１】
以下、本発明に係るトルクリミッタの好ましい実施の形態について、添付図面を参照しつつ説明する。
図１及び図２に、それぞれ、本実施の形態に係るトルクリミッタ１の斜視図及び分解斜視図を示す。
【００２２】
図１及び図２に示すように、前記トルクリミッタ１は、内輪体１０と、前記内輪体１０に巻き付けられたコイルバネ２０と、前記コイルバネ２０が巻き付けられた状態の内輪体１０が内挿される中空の外輪体３０とを備えている。
【００２３】
前記コイルバネ２０は、図２に示すように、前記内輪体１０の外周面に巻き付けられたコイル部２１と、前記コイル部２１の巻き終わり端部２１ｂ（図１参照）から前記内輪体１０の軸線を基準にして径方向外方へ延びるフック部２２とを有している。
前記外輪体３０における周壁３１の内周面には、前記フック部２２が係入されるスリット３５が設けられており、前記コイルバネ２０が巻き付けられた前記内輪体１０は、前記フック部２２が前記スリット３５に係入された状態で前記外輪体３０の周壁３１内に内挿されている。
【００２４】
前記トルクリミッタ１は、前記内輪体１０を軸線回りに固定した状態で、前記外輪体３０に前記コイルバネ２０の締め付け力を緩める方向である軸線回り一方側の開放側へ該締め付け力を越える回転トルクが加わると、前記外輪体３０が前記コイルスプリング２０と共に前記内輪体１０に対して軸線回り一方側へ回転し、且つ、前記回転トルクが前記締め付け力以下の状態では、前記外輪体３０が軸線回り一方側へ回転しないようになっている。
【００２５】
斯かるトルクリミッタ１は、積層された複数のシート材２００を１枚ずつ供給するシート材供給装置１００における分離ローラ１２０として好適に使用される。
図３に、本実施の形態に係るトルクリミッタ１が分離ローラ１２０として適用されたシート材供給装置１００の模式図を示す。
【００２６】
図３に示すように、前記シート材供給装置１００は、動力源によって軸線回りに回転駆動される供給ローラ１１０と、前記供給ローラ１１０と共働する分離ローラ１２０とを備えている。
前記分離ローラ１２０は、前記内輪体１０の軸線が前記供給ローラ１１０の回転軸と平行とされた状態で、付勢部材１３０によって前記供給ローラ１１０へ向けて押圧されている。
【００２７】
前記シート材供給装置１００は、前記供給ローラ１１０及び前記シート材２００の間の供給ローラ側摩擦力が前記分離ローラ１２０及び前記シート材２００間の分離ローラ側摩擦力よりも大きく、且つ、前記分離ローラ側摩擦力が２枚のシート材２００の間のシート材間摩擦力よりも大きくなるように構成されている。
【００２８】
具体的には、前記供給ローラ１１０は、前記動力源によって軸線回りに回転駆動される駆動軸１１１と、前記駆動軸１１１に相対回転不能に外挿されたローラ本体１１２と、前記ローラ本体１１２の外周に装着された供給ローラゴム１１３とを有している。
一方、前記分離ローラ１２０は、前記内輪体１０，前記コイルスプリング２０及び前記外輪体３０に加えて、前記外輪体３０の外周に装着された分離ローラゴム１２３を有している。
前記分離ローラゴム１２３は、前記分離ローラ側摩擦力が前記シート材間摩擦力よりも大きくなるように形成され、且つ、前記供給ローラゴム１１３は、前記供給ローラ側摩擦力が前記分離ローラ側摩擦力よりも大きくなるように形成されている。
【００２９】
斯かるシート材供給装置１００は以下のように作動する。
積層された複数枚のシート材２００を支持するトレイ２１０が退避位置（図３の破線）から作動位置（図３の実線）に位置されると、前記供給ローラ１１０又は該供給ローラ１１０によって従動回転される前記分離ローラ１２０が前記複数枚のシート材２００のうち最上位に位置するシート材２００ａを前記供給ローラ１１０及び前記分離ローラ１２０の接点位置まで案内する。この際、前述の通り、供給ローラ側摩擦力が分離ローラ側摩擦力よりも大きい為、前記供給ローラ１１０は、前記分離ローラ１２０の外輪体３０を従動回転させつつ、前記シート材２００ａを搬送する。
【００３０】
一方、前記供給ローラ１１０及び前記分離ローラの間に２枚のシート材２００が同時に入った場合には、前述の通り、供給ローラ側摩擦力及び分離ローラ側摩擦力が共にシート材間摩擦力よりも大きい為、前記２枚のシート材２００の間で滑りが生じる。従って、前記２枚のシート材２００のうち前記供給ローラ１１０に接する側のシート材だけが前記供給ローラ１１０によって搬送される。この際、前記分離ローラ１２０の前記外輪体３０は従動回転されず、従って、前記分離ローラ１２０に接する側のシート材２００はそのままの位置に保持され、シート材の２枚同時搬送が防止される。
【００３１】
ところで、前記供給ローラ１１０及び前記分離ローラ１２０の間に搬送すべきシート材２００が詰まった場合等においては、該シート材２００をシート搬送方向Ｘとは逆向きに引っ張り出す必要があるが、その際に、前記分離ローラ１２０として作用する前記トルクリミッタ１には、軸線方向他方側のロック側に回転トルク（いわゆる逆トルク）が掛かる。従って、前記トルクリミッタ１には逆トルクに抗し得る強度が必要とされる。
【００３２】
詳しく説明すると、前記コイルスプリング２０のフック部２２は前記外輪体３０の周壁３１に形成された前記スリット３５に係入されている。従って、前記スリット３５には前記外輪体３０に付加される逆トルクに抗し得る強度が要される。
例えば、前記外輪体３０の周壁３１の肉厚を厚くすれば、前記スリット３５の強度を向上させることが可能であるが、斯かる構成では外輪体３０が径方向に大型化してしまう。
【００３３】
この点に関し、本実施の形態に係るトルクリミッタ１は下記構成を備えることにより、前記外輪体３０の径方向への大型化を防止しつつ、ロック側への回転トルクに対して十分な強度を確保している。
【００３４】
図４〜図６に、それぞれ、前記トルクリミッタ１の縦断断面図，透視側面図及び透視斜視図を示す。
又、図７〜図９に、それぞれ、前記外輪体３０の端面図，側方斜視図及び下方斜視図を示す。
さらに、図１０及び図１１に、それぞれ、図７におけるＸ-Ｘ線及びＸＩ-ＸＩ線に沿った前記外輪体の断面斜視図を示す。
【００３５】
前述の通り、前記外輪体３０の周壁３１には、前記コイルバネ２０の前記フック部２２が係入されるスリット３５が形成されている。
前記スリット３５は、図７〜図１０に示すように、前記外輪体３０の周壁３１の内周面及び外端面に開いた状態で、軸線方向に沿って形成されている。
【００３６】
詳しくは、前記スリット３５は、前記外輪体３０に軸線回り一方側の開放側（図１及び図６における矢印Ｒ１方向）へ回転トルクが作用した際に前記フック部２２と当接する開放側当接面３５ａと、前記外輪体３０に軸線回り他方側のロック側（図１及び図６における矢印Ｒ２方向）へ回転トルクが作用した際に前記フック部２２と当接するロック側当接面３５ｂとを有している。
なお、前記フック部２２は、前記外輪体３０の外周面から外方へ延在しないように前記スリット３５内に係入されている。
即ち、前記フック部２２の径方向外端部は、図１等に示すように、前記周壁３１の内周面より径方向外方で且つ前記スリット３５の径方向外端部よりも径方向内方に位置している。
【００３７】
本実施の形態に係るトルクリミッタ１においては、前記外輪体３０は、さらに、図７〜図１０に示すように、前記ロック側当接面３５ｂから径方向内方へ延び、該外輪体３０にロック側への回転トルクが作用した際に前記ロック側当接面３５ｂと共に前記フック部２２と当接するロック側延在面４１を有するロック側凸部４０を備えている。
【００３８】
斯かるロック側凸部４０を設けることにより、前記外輪体３０を拡径することなく、前記フック部２２との係合長さを十分に確保することができる。
従って、外輪体３０の径方向への大型化を防止しつつ、いわゆる逆トルクが作用した際の前記コイルスプリング２０及び前記外輪体３０の損傷を有効に防止できる。
【００３９】
好ましくは、前記ロック側凸部４０の内周面４２は、前記ロック側延在面４１が位置する側から軸線回り一方側へ行くに従って径方向外方へ位置する（前記周壁３１の内周面に近接する）ようなテーパ状とされる。
斯かる構成を備えることにより、前記外輪体３０に開放側への回転トルクが作用し、前記開放側当接面３５ａを介して前記コイルスプリング２０が開放動作させられる際に、該コイルスプリング２０が前記ロック側凸部４０に干渉することを有効に防止できる。
【００４０】
本実施の形態においては、前記外輪体３０は、図８，図９及び図１１に示すように、さらに、前記開放側当接面３５ａから径方向内方へ延び、該外輪体３０に開放側への回転トルクが作用した際に前記開放側当接面３５ａと共に前記フック部２２と当接する開放側延在面４６を有する開放側凸部４５を備えている。
斯かる開放側凸部４５を備えることにより、前記外輪体３０に開放側の回転トルクが作用した際に、該回転トルクを前記コイルスプリング２０の前記フック部２２に無理なく伝達することができ、前記外輪体３０及び前記コイルスプリング２０の耐久性を向上させることができる。
【００４１】
好ましくは、前記開放側凸部４５は、前記開放側延在面４６の径方向内端部が前記コイル部２１の径方向外周面に可及的に近接するように構成される。
なお、本実施の形態においては、前記開放型凸部４５は、径方向内方を向く内周面が下記第２内径を有するように構成されている。
一方、前記ロック側凸部４０は、図７に示すように、前記ロック側延在面４１の径方向内端部が前記開放側延在面４６の径方向内端部よりは径方向外方に位置した状態で、前記コイル部２１の径方向外周面に可及的に近接するように構成される。
斯かる構成を備えることにより、前記外輪体３０に開放側の回転トルクが作用した際に、該開放側への回転トルクを効果的に前記フック部２２に伝達することができ、且つ、前記コイルスプリング２０が前記開放側への回転トルクによって拡径動作を行う際に、前記ロック側凸部４０が前記コイルスプリング２０に干渉することを有効に防止できる。
【００４２】
さらに、本実施の形態においては、下記構成を備えることにより、前記外輪体３０の小径化及び強度向上を図っている。
即ち、図１０及び図１１に示すように、前記外輪体３０の周壁３１は、前記ロック側凸部４０が形成され且つ少なくとも前記コイル部２１の巻き終わり端部２１ｂ（図１等参照、前記フック部２２に隣接する側の端部）を囲繞する軸線方向第１領域３１１と、前記軸線方向第１領域３１１から軸線方向一方側へ延び且つ少なくとも前記コイル部２１の巻き始め端部２１ａ（図２等参照、前記フック部２２とは反対側の端部）を囲繞する軸線方向第２領域３１２と、前記軸線方向第２領域３１２から軸線方向一方側へ延びる軸線方向第３領域３１３とを有している。
【００４３】
前記軸線方向第３領域３１３は、前記内輪体１０の外径より大径で且つ前記コイル部２１の外径より小径とされた第３内径を有している。
前記軸線方向第２領域３１２は、前記コイル部２２の外径より大径とされた第２内径を有している。
そして、前記軸線方向第１領域３１１は、周方向に関し前記ロック側凸部４０及び前記開放側凸部４５が形成された領域を除き、前記第２内径よりも大径とされた第１内径を有している。
斯かる構成を備えることにより、前記外輪体３０の小径化を図りつつ、該外輪体３０の周壁３１の肉厚を可及的に確保して該外輪体３０の強度アップを図っている。
【００４４】
好ましくは、前記コイルバネ２０は、図１，図２及び図５に示すように、前記コイル部２１の前記巻き始め端部２１ａ及び前記巻き終わり端部２１ｂが前記内輪体１０の軸線を基準にした周方向位置に関し異なる位置に位置するように、前記内輪体１０に巻き付けられる。
斯かる構成において、前記軸線方向第２領域３１２は、前記巻き終わり端部２１ｂの周方向位置に対応した周方向位置を含む周方向第１領域３１２ａにおいては前記第２内径を有しつつ、前記巻き始め端部２１ａの周方向位置に対応した周方向位置を含む周方向第２領域３１２ｂにおいては前記第２内径よりも大径とされた内径を有するように構成される。
【００４５】
本実施の形態においては、図１，図２及び図５に示すように、前記コイルバネ２０における前記コイル部２１の前記巻き始め端部２１ａ及び前記巻き終わり端部２１ｂは前記内輪体１０の軸線を基準にして周方向に略１８０度変位されている。
従って、前記軸線方向第２領域３１２は、図７〜図１１に示すように、前記スリット３５と周方向同一位置を含む領域が前記第２内径を有する前記周方向第１領域３１２ａとされ、且つ、前記スリット３５とは周方向に１８０度変位された領域が前記第２内径よりも大径とされた内径を有する前記周方向第２領域３１２ｂとされている。
【００４６】
より好ましくは、前記周方向第２領域３１２ｂは、前記軸線方向第１領域３１１における第１内径と同一径とされる。
斯かる構成を備えることにより、前記外輪体３０を樹脂成形する際の金型構造の簡略化を図ることができる。
【図面の簡単な説明】
【００４７】
【図１】図１は、本発明の一実施の形態に係るトルクリミッタの斜視図である。
【図２】図２は、図１に示すトルクリミッタの分解斜視図である。
【図３】図３は、図１及び図２に示すトルクリミッタが分離ローラとして適用されたシート材供給装置の模式図である。
【図４】図４は、図１及び図２に示すトルクリミッタの縦断側面図である。
【図５】図５は、図１及び図２に示すトルクリミッタの透視側面図である。
【図６】図６は、図１及び図２に示すトルクリミッタの透視斜視図である。
【図７】図７は、前記トルクリミッタにおける外輪体の端面図である。
【図８】図８は、図７に示す外輪体の側方斜視図である。
【図９】図９は、図７及び図８に示す外輪体の下方斜視図である。
【図１０】図１０は、図７におけるＸ−Ｘ線に沿った前記外輪体の断面斜視図である。
【図１１】図１１は、図７におけるＸＩ−ＸＩ線に沿った前記外輪体の断面斜視図である。
【符号の説明】
【００４８】
１              トルクリミッタ
１０            内輪体
２０            コイルバネ
２１            コイル部
２１ａ          巻き始め端部
２１ｂ          巻き終わり端部
２２            フック部
３０            外輪体
３１            周壁
３１１          軸線方向第１領域
３１２          軸線方向第２領域
３１２ａ        周方向第１領域
３１２ｂ        周方向第２領域
３１３          軸線方向第３領域
３５            スリット
３５ａ          開放側当接面
３５ｂ          ロック側当接面
４０            ロック側凸部
４１            ロック側延在面
４５            開放側凸部
４６            開放側延在面
【図１】
2008274979.tif 000003
【図２】
2008274979.tif 000004
【図４】
2008274979.tif 000005
【図６】
2008274979.tif 000006
【図７】
2008274979.tif 000007
【図８】
2008274979.tif 000008
【図９】
2008274979.tif 000009
【図１０】
2008274979.tif 000010
【図１１】
2008274979.tif 000011
【図３】
2008274979.tif 000012
【図５】
2008274979.tif 000013